(57)【要約】【課題】リップクリームの見せ方にバリエーションを加えることが可能なリップクリーム用ケースを提供する。【解決手段】下向きに凹入した収容部４を有する本体１を備え、この本体１を光透過性を有する合成樹脂で一体成形してある。【選択図】      図１
2004275433.tif 000002
【特許請求の範囲】
【請求項１】
下向きに凹入した収容部を有する本体を備え、この本体を光透過性を有する合成樹脂で一体成形してあることを特徴とする化粧品用ケース。
【請求項２】
前記本体の中央部が周縁部よりも一段高くなっており、この中央部に、前記収容部を設けてある請求項１に記載の化粧品用ケース。
【請求項３】
光透過性を有するフィルム体によって前記本体の中央部の上面を覆ってある請求項１または２に記載の化粧品用ケース。
【請求項４】
前記フィルム体に切り込み線が入っており、この切り込み線を破断すると、フィルム体の一部のみが本体の上面から剥がれた状態となるように構成してある請求項３に記載の化粧品用ケース。
【請求項５】
前記本体の一端部にヒンジ部を介して本体の上面を覆う蓋体が連設されている請求項１または２に記載の化粧品用ケース。
【発明の詳細な説明】
【０００１】
【発明の属する技術分野】
本発明は、例えば、試供品あるいは販売品としてのリップクリーム、口紅やファウンデーションクリーム、アイシャドウなどの化粧品を収容する化粧品用ケースに関する。
【０００２】
【従来の技術】
従来の化粧品用ケースとして、コートボール紙などの厚紙の上に樹脂フィルムを貼り付けた後、圧を加えることにより凹入部を形成し、この凹入部内にリップクリームなどの化粧品を収容するように構成されたものがある。
【０００３】
【発明が解決しようとする課題】
しかし、上記従来の化粧品用ケースでは、前記厚紙の色や模様が、リップクリームの色などの見え方に必ず影響を及ぼすこととなっていた。
【０００４】
この発明は、上述の事柄に留意してなされたもので、その目的は、化粧品の見せ方にバリエーションを加えることが可能な化粧品用ケースを提供することである。
【０００５】
【課題を解決するための手段】
上記目的を達成するために、本発明の化粧品用ケースは、下向きに凹入した収容部を有する本体を備え、この本体を光透過性を有する合成樹脂で一体成形してある（請求項１）。
【０００６】
上記の構成からなる本発明によれば、化粧品の見せ方にバリエーションを加えることが可能な化粧品用ケースを提供することが可能となる。
【０００７】
すなわち、従来の化粧品用ケースは、厚紙を用いて形成されていたことから、前記厚紙の色や模様が、化粧品（例えばリップクリーム）の色などの見え方に必ず影響を及ぼすこととなっていたのであるが、本発明の化粧品用ケースは、前記厚紙を必ずしも必要とせず、光透過性を有する透明または半透明の材料から構成されているため、前記厚紙の色や模様に影響を受けない状態で化粧品をケースの外部から見えるように構成することができるのである。
【０００８】
また、前記本体の中央部が周縁部よりも一段高くなっており、この中央部に、前記収容部を設けてあるとしてもよい（請求項２）。
【０００９】
前記中央部と周縁部とに段差を設けていない場合、化粧品用ケースを側方から見たときに、下向きに凹入した収容部が目に入り、見栄えが悪くなるおそれがあるが、上記のように構成した場合には、下向きに凹入した収容部が周縁部と中央部との間の段差（中央部の側壁）に隠れることとなり、洗練された印象を与えることとなる。また、周縁部の下面が前記収容部の下端とほぼ同じ高さか、あるいは収容部の下端よりも下側に位置するように構成すれば、化粧品用ケースを台紙などで覆う場合に、化粧品用ケースの下面に対する台紙などの貼り付け作業が行い易くなるというメリットが得られることとなる。
【００１０】
さらに、光透過性を有するフィルム体によって前記本体の中央部の上面を覆ってあるとしてもよい（請求項３）。
【００１１】
この場合には、前記収容部内に収容したリップクリームなどの化粧品の保存状態が良好に保たれるのであり、しかも前記フィルム体が光透過性を有することから、収容部内に収容された化粧品を外部から見にくくなるというようなおそれが生じることはないのである。
【００１２】
また、前記フィルム体に切り込み線が入っており、この切り込み線を破断すると、フィルム体の一部のみが本体の上面から剥がれた状態となるように構成してあるとしてもよい（請求項４）。
【００１３】
この場合には、前記本体に設けられた収容部のうち、一部の収容部をフィルム体で覆った状態としつつ、他の収容部を使用することが可能となり、利便性の点でより優れたものとなる。
【００１４】
また、前記本体の一端部にヒンジ部を介して本体の上面を覆う蓋体が連設されているとしてもよい（請求項５）。
【００１５】
この場合にも、前記収容部内に収容した化粧品の保存状態が良好に保たれるのである。
【００１６】
【発明の実施の形態】
以下、本発明の実施の形態を図面に基づいて説明する。
図１は、本発明の第一実施例に係る化粧品用ケース（以下、ケースという）Ｄの構成を概略的に示す斜視図である。
ケースＤは、試供品あるいは販売品としてのリップクリーム、口紅やファウンデーションクリーム、アイシャドウなどの化粧品を収容するためのものであり、光透過性を有する透明または半透明の合成樹脂で一体成形してなる本体１と、この本体１の上面を覆うフィルム体２とを備えており、前記本体１およびフィルム体２を、カバー体３によって挟み込んだ（覆った）状態で保持するように構成してある。なお、前記化粧品は、常温で、例えば、固形状、乳状（ペースト状）あるいはその中間の状態となるものであり、以下には、化粧品としてリップクリームに用いる場合のケースＤの構成について述べる。
【００１７】
前記本体１は、その中央部１ａが周縁部１ｂよりも一段高くなっており、この中央部１ａに、下向きに凹入した複数（本実施例では５つ）の収容部４，４…が設けられている。
【００１８】
詳しくは、前記本体１の中央部１ａには、リップクリーム（図示せず）を収容するための複数（３つ）の収容部４ａ，４ａ，４ａと、リップクリームどうしを混合（配色）するスペースを構成する収容部４ｂと、スポンジや不織布などを収容するための収容部４ｃとが設けられている。
【００１９】
前記各収容部４ａは、平面視がほぼ円形状であり、球面状に形成されている。本実施例では、各収容部４ａは、直径１２〜１４ｍｍで、深さが約４ｍｍとなっている。そして、３つの収容部４ａ，４ａ，４ａには、それぞれ異なる色のリップクリームがノズル（図示せず）によって溶けた状態で注入・充填されるのであり、注入時のリップクリームの温度は８０〜９０℃程度で、その後、冷却されることによってリップクリームは固体化するのである。
【００２０】
なお、前記各収容部４ａは、平面視ほほ円形状に限るものではなく、例えば平面視を矩形状あるいは正方形状としたり、星形状としてもよい。
【００２１】
前記収容部４ｂ，４ｃは、それぞれ平面視ほぼ矩形状または正方形状であり、適宜の深さを有している。
【００２２】
前記フィルム体２は、光透過性を有する透明または半透明の材料からなり、前記本体１の中央部１ａの上面を覆う状態で、周縁部が本体１の中央部１ａの上面に接着剤などを介して接着され、これにより、前記収容部４が密閉された状態となるのであり、このときにはフィルム体２がガスバリヤー機能を発揮するのである。
【００２３】
また、フィルム体２の周縁の一部には、外方に突出する突出部分２ａが設けられており、この突出部分２ａを引っ張り上げることにより、フィルム体２を本体１の中央部１ａから容易に剥がすことができるように構成されている。
【００２４】
なお、上記のように剥がしたときに、前記フィルム体２の全面が本体１（中央部１ａ）から剥がれてしまうのではなく、一部が接着された状態で残り、その部分がヒンジとなって、フィルム体２を本体１（中央部１ａ）に対して何度も開閉させることができる（何度も剥がしたり貼りなおしたりできる）ように構成されている。
【００２５】
前記カバー体３は、例えば厚紙からなる１枚のシート状体を折り曲げて、本体１の下面（裏面）に例えば接着剤により固定される裏面部３ａと、この裏面部３ａの一端に折り曲げ自在に連設される表面部３ｂとを設けてなる。
【００２６】
そして、前記表面部３ｂには窓３ｃが設けられており、表面部３ｂによって前記本体１の上面を覆う状態としても、前記窓３ｃを通して、前記各収容部４ａに収容されたリップクリームを外部から見ることができるように構成されている。また、前記裏面部３ａにおいて前記各収容部４ａに対応する位置に、前記窓３ｃと同様の構成からなる窓（図示せず）を設けてもよい。
【００２７】
また、前記カバー体３には、リップクリームやそのメーカー等をアピールするための広告などが印刷されている。
【００２８】
上記の構成からなるケースＤでは、本体１の上面を覆っている前記カバー体３の表面部３ｂを持ち上げた後、突出部分２ａを引っ張り上げてフィルム体２の所定の部分まで剥がすことによって、収容部４に収容されているリップクリームなどを用いることができるのである。
【００２９】
前記ケースＤでは、収容したリップクリームなどの化粧品の見せ方にバリエーションを加えることが可能となる。
【００３０】
すなわち、従来の化粧品用ケースは、厚紙を用いて形成されていたことから、前記厚紙の色や模様が、化粧品の色などの見え方に必ず影響を及ぼすこととなっていたのであるが、本実施例のケースＤは、前記厚紙を必ずしも必要とせず、光透過性を有する透明または半透明の材料から構成されているため、前記厚紙の色や模様に影響を受けない状態で化粧品をケースＤの外部から見えるように構成することができるのである。
【００３１】
また、前記本体１の中央部１ａが周縁部１ｂよりも一段高くなっており、この中央部１ａに、前記収容部４を設けてあることから、以下のような効果が得られる。すなわち、前記本体１の中央部１ａと周縁部１ｂとに段差を設けていない場合、ケースを側方から見たときに、下向きに凹入した収容部４が目に入り、見栄えが悪くなるおそれがあるが、上記のように構成した場合には、下向きに凹入した収容部４が周縁部１ｂと中央部１ａとの間の段差（中央部１ａの側壁）に隠れることとなり、洗練された印象を与えることとなる。
【００３２】
また、本体１の周縁部１ｂの下面が前記収容部４の下端とほぼ同じ高さか、あるいは収容部４の下端よりも下側に位置するように構成すれば、ケースＤを台紙などのカバー体３で覆う場合に、ケースＤの下面に対するカバー体３の貼り付け作業が行い易くなるというメリットが得られることとなる。
【００３３】
さらに、光透過性を有するフィルム体２によって前記本体１の中央部１ａの上面を覆ってあることから、前記収容部４内に収容したリップクリームなどの保存状態が良好に保たれるのであり、しかも前記フィルム体２が光透過性を有することから、収容部４内に収容された化粧品を外部から見にくくなるというようなおそれが生じることはないのである。
【００３４】
ここで、上記のように化粧品を収容したケースＤをカバー体３によって覆った（挟んだ）状態とした場合には、前記窓３ｃから化粧品を見ることができ、また、前記窓３ｃを表面部３ａおよび裏面部３ｂの両方に設けた場合には、カバー体３の印刷などに左右されることなく、化粧品を見ることができるのである。
【００３５】
さらに、前記カバー体３を設けずに化粧品を収容したケースＤのみを用いるようにしたり、図２に示すように、前記カバー体３内にケースＤを自在に出し入れできるように構成し、ケースＤのみを取り出して使用できるようにした場合にも、カバー体３の印刷などに左右されることなく、化粧品を見ることができるようになる。
【００３６】
ここで、図３に示すように、前記フィルム体２に切り込み線５を入れて、この切り込み線５を破断すると、フィルム体２の一部のみが本体１の中央部１ａの上面から剥がれた状態となるように構成してもよい。
【００３７】
詳しくは、前記切り込み線５は、断続的に設けられており、本実施例では、前記切り込み線５は、直線部分５ａと、円弧部分５ｂとが一列に交互に配置されてなる。なお、前記切り込み線５の形状は上記のものに限られず、例えば、点線状あるいは破線状であってもよい。
【００３８】
また、前記フィルム体２は、前記切り込み線５によって２つの分割部６，７に分けられており、各分割部６，７には前記突出部分２ａが設けられている。
【００３９】
そして、前記本体１の中央部１ａに貼られた状態のフィルム体２において、分割部６の突出部分２ａを引っ張り上げれば、前記切り込み線５が破断して、分割部６のみが剥がれた状態となり、分割部７の突出部分２ａを引っ張り上げれば、前記切り込み線５が破断して、分割部７のみが剥がれた状態となる。
【００４０】
なお、上記のように分割部６，７をそれぞれ剥がしたときに、分割部６，７の全面が本体１（中央部１ａ）から剥がれてしまうのではなく、一部が接着された状態で残り、その部分がヒンジとなって、分割部６，７を本体１（中央部１ａ）に対して何度も開閉させることができる（何度も剥がしたり貼りなおしたりできる）ように構成されている。
【００４１】
上記のようにフィルム体２に切り込み線５を入れた場合には、本体１に設けられた複数の収容部４，４…のうち、一部の収容部４をフィルム体２で覆った状態としつつ、他の収容部４を使用することが可能となり、利便性の点でより優れたものとなる。
【００４２】
図４は、本発明の第二実施例に係るケースＤ２  の構成を概略的に示す斜視図、図５（Ａ）および（Ｂ）は、閉じた状態および開いた状態の前記ケースＤ２  の構成を概略的に示す斜視図、図６は、前記ケースＤ２  の構成を概略的に示す平面図、図７（Ａ）および（Ｂ）は、開いた状態および閉じた状態の前記ケースＤ２  の構成を概略的に示す縦断面図である。
前記ケースＤ２  は、第一実施例のケースＤに比して、前記本体１の一端部にヒンジ部８を介して本体１の上面を覆う蓋体９の一端部が連設されており、また、前記フィルム体２が設けられていない点で主に異なる。
【００４３】
詳しくは、前記本体１，ヒンジ部８および蓋体９は、光透過性を有する（透明または半透明の）合成樹脂で一体成形してある。そして、前記蓋体９は、前記本体１の形状に対応しており、その中央部９ａが周縁部９ｂよりも一段高くなっている。
【００４４】
また、前記本体１の中央部１ａの側壁に被係止部１０ｂが設けられており、蓋体９の中央部９ａの側壁に前記被係止部１０ｂに係止する係止部１０ａが設けられている。本実施例では、前記係止部１０ａは、前記中央部９ａの側壁の一部を内側に突出させることによって設けてあり、前記被係止部１０ｂは、前記中央部１ａの側壁の一部を内側に突出させることによって設けてある。
【００４５】
なお、前記係止部１０ａおよび被係止部１０ｂは、上記の構成に限るものではなく、例えば、前記係止部１０ａを、前記中央部９ａの側壁の一部を外側に突出させることによって設けるとともに、前記被係止部１０ｂを、前記中央部１ａの側壁の一部を外側に突出させることによって設けてもよいのである。
【００４６】
上記の構成からなるケースＤ２  では、図５（Ａ）および図７（Ｂ）に示すように、係止部１０ａに被係止部１０ｂを係止して閉じた状態とすれば、ケースＤ２  の内部が密閉されることとなり、図５（Ｂ）および図７（Ａ）に示すように、係止部１０ａおよび被係止部１０ｂの係止を解除して開いた状態とすれば、前記収容部４に収容されている化粧品（リップクリーム）を使用することが可能となる。すなわち、前記蓋体９が第一実施例におけるフィルム体２と同様の機能を果たすこととなる。
【００４７】
そして、上記第一実施例に示したカバー体３によって、前記ケースＤ２  を覆った状態で保持するように構成したり、ケースＤ２  を出し入れ自在に収納するように構成すればよい。なお、前記カバー体３を用いずに、前記ケースＤ２  のみを用いるようにしてもよく、この場合には、例えば、前記蓋体９や本体１の下面に、アピール用の広告等が印刷された印刷体を直接貼りつけるなどしてもよいのである。
【００４８】
第二実施例のケースＤ２  によっても、前記ケースＤによって得られる効果と同様の効果を得ることが可能となる。
【００４９】
なお、図８に示すように、前記蓋体９に切り込み線１１を入れて、この切り込み線１１を破断すると、蓋体９の一部のみが本体１の上面を開放した状態となるように構成してもよい。
【００５０】
詳しくは、前記切り込み線１１は、直線的かつ連続的に設けられている。なお、前記切り込み線１１の構成は上記のものに限られず、例えば、点線状あるいは破線状に断続的に設けられていてもよい。
【００５１】
そして、前記蓋体９は、前記切り込み線１１によって２つの分割部１２，１３に分けられており、各分割部１２，１３には前記係止部１０ａが設けられている。また、２つの係止部１０ａ，１０ａに対応する被係止部１０ｂ，１０ｂが前記本体１に設けられている。
【００５２】
上記の構成からなるケースＤ２  では、前記本体１の２つの被係止部１０ｂに各係止部１０ａが係止された状態の蓋体９において、分割部１２の係止部１０ａを被係止部１０ｂから外して引っ張り上げれば、分割部１２のみが開いた状態となり、分割部１３の係止部１０ａを被係止部１０ｂから外して引っ張り上げれば、分割部１３のみが開いた状態となる。
【００５３】
上記のように蓋体９に切り込み線１１を入れた場合には、本体１に設けられた複数の収容部４，４…のうち、一部の収容部４を蓋体９で覆った状態としつつ、他の収容部４を使用することが可能となり、利便性の点でより優れたものとなる。
【００５４】
なお、上記第二実施例のケースＤ２  において、図９に示すように、前記本体１の中央部１ａに、化粧品（リップクリーム）を塗布するためのブラシＢを収容するための収容部４ｄを設けてもよい。また、前記収容部４ｄを第一実施例のケースＤに設けてもよいのはもちろんである。
【００５５】
また、上記２つの実施例ではそれぞれ、化粧品としてリップクリームに用いる場合のケースＤ、Ｄ２  の構成を示しているが、リップクリームではなく他の化粧品に用いてもよく、用いる化粧品に応じて適宜にケースＤ、Ｄ２  の構成を変更すればよいことはいうまでもない。例えば、化粧品としてファウンデーションクリームに用いる場合には、前記収容部４ａをより大きく形成するとともに、その数を３つではなく２つとし、また、前記収容部４ｂを設けず、さらに、前記収容部４ｃに、厚さ３〜４ｍｍのスポンジを収容するように構成すればよい。
【００５６】
もちろん、複数の収容部４ａ、４ａ…内に、異なる種類の化粧品（例えば、リップクリームとファウンデーションクリームとアイシャドウなど）を収容するように構成してもよい。
【００５７】
また、上記２つの実施例のケースＤ、Ｄ２  において、図１０に示すように、化粧品を収容する収容部４ａの内壁に、内側に突出する突出部分１４を１つまたは複数設けてもよい。前記突出部分１４は、例えばほぼ棒状をしている。
【００５８】
すなわち、前記本体１は比較的薄く形成されており、例えば、本体１を捻る力が加わると、収容部４ａ内に収容されている化粧品が収容部４ａの内壁から剥離し、ひいては剥離した化粧品が外部に飛び出すおそれがあるが、前記突出部分１４を設けることにより、上記の剥離や飛び出しが確実に防止されることとなる。
【００５９】
【発明の効果】
上記の構成によれば、化粧品の見せ方にバリエーションを加えることが可能な化粧品用ケースを提供することが可能となる。
【００６０】
すなわち、従来の化粧品用ケースは、厚紙を用いて形成されていたことから、前記厚紙の色や模様が、化粧品の色などの見え方に必ず影響を及ぼすこととなっていたのであるが、本発明の化粧品用ケースは、前記厚紙を必ずしも必要とせず、光透過性を有する透明または半透明の材料から構成されているため、前記厚紙の色や模様に影響を受けない状態で化粧品をケースの外部から見えるように構成することができるのである。
【００６１】
また、前記本体１の中央部１ａが周縁部１ｂよりも一段高くなっており、この中央部１ａに、前記収容部４を設けてあることから、以下のような効果が得られる。すなわち、前記本体１の中央部１ａと周縁部１ｂとに段差を設けていない場合、ケースを側方から見たときに、下向きに凹入した収容部４が目に入り、見栄えが悪くなるおそれがあるが、上記のように構成した場合には、下向きに凹入した収容部４が周縁部１ｂと中央部１ａとの間の段差（中央部１ａの側壁）に隠れることとなり、洗練された印象を与えることとなる。
【００６２】
さらに、光透過性を有するフィルム体２によって前記本体１の中央部１ａの上面を覆ってあることから、前記収容部４内に収容した化粧品などの保存状態が良好に保たれるのであり、しかも前記フィルム体２が光透過性を有することから、収容部４内に収容された化粧品などを外部から見にくくなるというようなおそれが生じることはないのである。
【００６３】
上記のような効果は、前記フィルム体２に変えて蓋体９を設けた場合にも同様に得られることとなる。
【図面の簡単な説明】
【図１】本発明の第一実施例に係る化粧品用ケースの構成を概略的に示す斜視図である。
【図２】他のカバー体を適用した場合の化粧品用ケースの構成を概略的に示す斜視図である。
【図３】フィルム体に切り込み線を入れた場合の化粧品用ケースの構成を概略的に示す斜視図である。
【図４】本発明の第二実施例に係る化粧品用ケースの構成を概略的に示す斜視図である。
【図５】（Ａ）および（Ｂ）は、閉じた状態および開いた状態の前記化粧品用ケースの構成を概略的に示す斜視図である。
【図６】上記実施例の構成を概略的に示す平面図である。
【図７】（Ａ）および（Ｂ）は、開いた状態および閉じた状態の前記化粧品用ケースの構成を概略的に示す縦断面図である。
【図８】蓋体に切り込み線を入れた場合の化粧品用ケースの構成を概略的に示す斜視図である。
【図９】ブラシの収容を可能とした場合の化粧品用ケースの構成を概略的に示す斜視図である。
【図１０】上記２つの実施例における収容部の変形例の構成を概略的に示す説明図である。
【符号の説明】
１…本体、４…収容部、Ｄ…化粧品用ケース。
【図１】
2004275433.tif 000003
【図２】
2004275433.tif 000004
【図３】
2004275433.tif 000005
【図４】
2004275433.tif 000006
【図５】
2004275433.tif 000007
【図６】
2004275433.tif 000008
【図７】
2004275433.tif 000009
【図８】
2004275433.tif 000010
【図９】
2004275433.tif 000011
【図１０】
2004275433.tif 000012